(57)【特許請求の範囲】
【請求項１】
操作対象となる要素が系統線で接続され、かつ、それぞれの要素が前記系統線を介して特定の関係を有することを示す系統図を対象とし、前記いずれかの要素が選択された場合、当該選択を検知する操作検知部と、
前記操作検知部が前記いずれかの要素の選択を検知した場合、前記系統図における当該要素の位置の背後または半透明の状態で前面に、操作ボタンを含む操作領域を表示する操作領域生成部と、
特定の要素に関する操作の順番または複数の要素間における一連の操作の順番を記憶した情報である制御知識を用い、前記操作の順番に対応した操作ボタンを活性化させる操作支援部とを備えたことを特徴とする操作インタフェース装置。
【請求項２】
前記操作ボタンを表示する場合、前記系統図を変形し、前記操作ボタンの大きさを拡大すると共に、前記操作ボタンと周辺の要素または系統線との間隔を拡大する系統図変形部を備えたことを特徴とする請求項１記載の操作インタフェース装置。
【請求項３】
表示の変形は選択された要素を中心として行うことを特徴とする請求項２記載の操作インタフェース装置。
【請求項４】
表示の変形は、縦方向または横方向のいずれか一方の方向の変形を最初に行い、次に他方の方向の変形を行うか、または、縦と横同時か、縦だけか、横だけかの変形を行うことを特徴とする請求項３記載の操作インタフェース装置。
【請求項５】
複数の要素の間隔または複数の系統線の間隔を変形する場合、当該変形する要素または系統線の表示状態を保持しながら前記要素または系統線を移動させることを特徴とする請求項４記載の操作インタフェース装置。
【請求項６】
拡張領域以外の要素の間隔及び系統線の間隔のうち少なくとも一方を縮小し、変形前の要素と系統線の情報を保持した状態で変形することを特徴とする請求項２から請求項５のうちのいずれか１項記載の操作インタフェース装置。
【請求項７】
前記操作支援部は、選択された要素が前記制御知識に記憶された一連の操作を行う複数の要素の中に含まれていた場合、当該一連の操作を行う複数の要素を前記操作領域中に表示させることを特徴とする請求項１記載の操作インタフェース装置。
【請求項８】
操作履歴を記憶した情報である操作履歴情報を用い、前記操作ボタン上の領域または前記操作ボタンの近傍に、前記操作ボタンがどの要素に対する操作であるかを示す情報を表示させる操作履歴提示部を備えたことを特徴とする請求項１から請求項７のうちのいずれか１項記載の操作インタフェース装置。
【請求項９】
操作履歴を記憶した情報である操作履歴情報を用い、前記操作ボタン上の領域または前記操作ボタンの近傍に、前記操作履歴の情報を表示させる操作履歴提示部を備えたことを特徴とする請求項１から請求項７のうちのいずれか１項記載の操作インタフェース装置。
【発明の詳細な説明】
【技術分野】
【０００１】
本発明は、例えば電力系統図等、操作対象となる要素が系統線で接続され、かつ、それぞれの要素が前記系統線を介して特定の関係を有することを示す系統図に対して操作を行う操作インタフェース装置に関する。
【背景技術】
【０００２】
今日、電力系統図といった対象設備が系統線で接続された状態がモニタに表示され、対象設備を選択することによって各種の操作を行うようにした操作インタフェース装置が用いられている。従来、このような系統図に対して操作を行う装置として例えば特許文献１に記載されたような装置があった。このような装置は、オペレータが系統図上の操作対象とする設備や領域を選択すると、別の操作ウィンドウを表示し、この操作ウィンドウに対して操作を行うことによって対象となる設備の操作を行うものであった。
【先行技術文献】
【特許文献】
【０００３】
【特許文献１】特開平５−３２３９１８号公報
【発明の概要】
【発明が解決しようとする課題】
【０００４】
一般に、電力系統図やプラント系統図といった系統図では設備同士がどのように繋がっているかといった設備間の接続関係が重要である。しかしながら、従来の装置では、ある操作を行う場合は、必ず操作ウィンドウが画面上のいずれかの位置に表示されるため、その表示位置の系統図は隠されてしまうことになる。従って、操作対象と、操作ウィンドウで隠されている部分との接続関係が確認できなくなってしまう。そのため、隠されている部分を確認するためには、操作ウィンドウを移動する必要があるが、移動させたとしても移動先の部分が隠されてしまうのは同様である。すなわち、操作ウィンドウを表示した状態では系統図の一覧ができず、操作ウィンドウを移動する手間の問題や操作対象の設備と他の設備との関係を把握しにくいという問題があった。
【０００５】
また、系統図上の操作対象の設備と操作ウィンドウとは別々に表示されるため、選択された設備に誤りがないか、系統図上の設備名と操作ウィンドウ上の設備名が一致しているかを確認する必要がある。しかしながら、通常、操作ウィンドウは系統図上の操作対象の設備の位置とは離れた位置に表示されるため、その確認が困難であると共に、確認ミスの恐れもあった。
【０００６】
この発明は上記のような課題を解決するためになされたもので、系統図上の対象設備状態を現在の状態から特定の状態に切り換える操作において、ヒューマンエラーを抑制し、正確で素早い操作が行える操作インタフェース装置を得ることを目的とする。
【課題を解決するための手段】
【０００７】
この発明に係る操作インタフェース装置は、操作対象となる要素が系統線で接続され、かつ、それぞれの要素が系統線を介して特定の関係を有することを示す系統図を対象とし、いずれかの要素が選択された場合、選択を検知する操作検知部と、操作検知部がいずれかの要素の選択を検知した場合、系統図における要素の位置の背後または半透明の状態で前面に、操作ボタンを含む操作領域を表示する操作領域生成部と、特定の要素に関する操作の順番または複数の要素間における一連の操作の順番を記憶した情報である制御知識を用い、操作の順番に対応した操作ボタンを活性化させる操作支援部とを備えたものである。
【発明の効果】
【０００８】
この発明の操作インタフェース装置は、系統図における要素の位置の背後または半透明の状態で前面に、操作ボタンを含む操作領域を表示するようにしたので、ヒューマンエラーを抑制し、正確で素早い操作を行うことができる。
【図面の簡単な説明】
【０００９】
【図１】この発明の実施の形態１による操作インタフェース装置を示す構成図である。
【図２】この発明の実施の形態１による操作インタフェース装置が対象とする系統図を示す説明図である。
【図３】この発明の実施の形態１による操作インタフェース装置の設備選択状態を示す説明図である。
【図４】この発明の実施の形態１による操作インタフェース装置の操作領域を表示した場合の説明図である。
【図５】この発明の実施の形態２による操作インタフェース装置を示す構成図である。
【図６】この発明の実施の形態２による操作インタフェース装置の縦方向の変形を示す説明図である。
【図７】この発明の実施の形態２による操作インタフェース装置の横方向の変形を示す説明図である。
【図８】この発明の実施の形態３による操作インタフェース装置を示す構成図である。
【図９】この発明の実施の形態３による操作インタフェース装置の動作を示すフローチャートである。
【図１０】この発明の実施の形態３による操作インタフェース装置の操作領域を示す説明図である。
【図１１】この発明の実施の形態３による操作インタフェース装置の操作領域中の表示の変化を示す説明図である。
【図１２】この発明の実施の形態３による操作インタフェース装置の他の動作例を示すフローチャートである。
【図１３】この発明の実施の形態４による操作インタフェース装置を示す構成図である。
【図１４】この発明の実施の形態４による操作インタフェース装置の操作対象設備名称の表示を示す説明図である
【図１５】この発明の実施の形態４による操作インタフェース装置の操作ボタン上への操作履歴の表示を示す説明図である。
【図１６】この発明の操作インタフェース装置の適用例を示す構成図である。
【発明を実施するための形態】
【００１０】
実施の形態１．
図１は、この発明の実施の形態１による操作インタフェース装置を示す構成図である。
図示の操作インタフェース装置は、操作検知部１と操作領域生成部２とを備える。操作検知部１は、系統図１００に対してオペレータが対象となるいずれかの要素を選択した場合、その要素の選択を検知する処理部である。操作領域生成部２は、操作検知部１がいずれかの要素の選択を検知した場合、系統図１００における要素の位置の背後または半透明の状態で前面に、操作ボタンを含む操作領域を表示する処理部である。
【００１１】
なお、本発明の操作インタフェース装置はコンピュータを用いて実現され、操作検知部１と操作領域生成部２及び後述する実施の形態２〜４における各機能部は、それぞれの機能に対応したソフトウェアと、これらのソフトウェアを実行するためのＣＰＵやメモリといったハードウェアから構成されている。また、系統図１００を表示するための表示装置やオペレータが操作を行うための入力装置を備えている。なお、図１では、表示装置と入力装置の図示は省略している。
【００１２】
図２は、系統図１００の一例を示す説明図である。
本実施の形態では、図２に示すように、系統図１００として電力系統図の場合を説明する。図２において、番号１〜９が付与された記号は設備１０１を示し、これら設備１０１が系統線１０２で相互に接続されている。ここで、設備１０１とは例えば電力のオン／オフを行うスイッチであり、系統線１０２は例えば電力を供給するための電力線を示している。
【００１３】
次に、実施の形態１の操作インタフェース装置の動作について説明する。
今、図２に示すような系統図１００が表示されているとする。操作検知部１は、このような表示画面に対してオペレータからの操作入力を検知する。この操作検知としては、ある設備１０１に対するマウスのクリック操作（特定の設備１０１上や設備１０１周辺にカーソルが位置した状態でのクリック操作）や、カーソル重なり（同一位置へのカーソルの一定時間の停止状態）、または、表示装置と入力装置とが一体となった、いわゆるタッチパネルの場合の特定の設備１０１上またはその近傍へのタッチ操作といったものである。図３は、記号４の設備１０１上にカーソル１０３が位置している状態を示す。
【００１４】
操作検知部１は、図３に示されているような状態により、記号４の設備１０１への操作入力を検知する。これにより、操作領域生成部２は、図４に示すように、操作対象の設備１０１の背後に操作領域２００を表示する。この操作領域２００は、系統図１００における記号４の設備１０１の背後または半透明の状態で前面に設備選択ボタン１０４（設備１０１を選択するための操作ボタン）が表示され、また、その設備１０１の識別情報である設備名称がそのまま設備選択ボタン１０４の表記となっている。例えば図４では、記号４がそのまま設備名称として操作ボタン上に「４」と表記されている。さらに、操作領域２００は系統図１００の背後または半透明の状態で前面に表示されている。
【００１５】
以上説明したように、実施の形態１の操作インタフェース装置によれば、操作対象となる要素が系統線で接続され、かつ、それぞれの要素が系統線を介して特定の関係を有することを示す系統図を対象とし、いずれかの要素が選択された場合、選択を検知する操作検知部と、操作検知部がいずれかの要素の選択を検知した場合、系統図における要素の位置の背後または半透明の状態で前面に、操作ボタンを含む操作領域を表示する操作領域生成部とを備えたので、次のような効果がある。
【００１６】
即ち、選択対象の位置に設備選択ボタンが表示されるため、操作対象としてどこが選択されたかが分かりやすく、確認が容易である。また、系統図上の設備の記号と名称がそのままボタン表記となっているため、この点においても選択された設備に誤りがないか確認し易く、その結果、設備の選択間違いを未然に防ぎ、ヒューマンエラーの抑制を図ることができる。例えば、従来であれば、系統図上の選択対象の位置と選択されたことによる操作ウィンドウが別位置に表示されるため、両方を見て確認する必要があったが、実施の形態１では操作対象と操作ボタンが共通した位置と表記であるため、その確認が容易である。また、従来のように、操作対象の要素と操作ウィンドウの要素との確認を行うために操作ウィンドウを移動させる、といったことも必要がなく、操作性の向上を図ることができる。
【００１７】
また、系統図の背後または半透明の状態で前面に操作領域が表示されるため、系統図の一部が隠れたり系統線が寸断されたりせず、元の関係を保ったままの表示となり、従って、操作対象と系統図全体との関連を確実に把握することができ、この点においてもヒューマンエラーの抑制を図ることができる。
【００１８】
実施の形態２．
図５は、実施の形態２の操作インタフェース装置を示す構成図である。
図示の操作インタフェース装置は、操作検知部１と操作領域生成部２に加えて系統図変形部３を備えている。操作検知部１及び操作領域生成部２は、実施の形態１と同様の構成である。また、系統図変形部３は、設備１０１や系統線１０２の間隔の拡張や、操作領域２００の周辺部における設備１０１や系統線１０２の間隔の縮小といった変形処理を行うものである。
【００１９】
次に、実施の形態２の操作インタフェース装置の動作について説明する。
図６及び図７は変形前と変形後の状態を示す説明図である。
図６の画面３００や図７の画面４００において、実施の形態１と同様に記号４の設備１０１が選択されたとする。これにより、操作領域生成部２による操作領域２００が生成され、表示されるが、例えば、系統図１００上で、記号４の設備１０１と周辺（例えば記号３や記号５）の設備１０１との間隔が狭く、設備選択ボタン１０４が、他の設備１０１や系統線１０２に重なってしまったり、あるいは、重ならないようにすると設備選択ボタン１０４そのものの表示が小さくなってしまうといったように、操作領域２００や系統図１００が見にくくなってしまうような場合、記号４の設備１０１を中心としてその周辺の設備１０１や系統線１０２の間隔を拡張して操作領域２００を表示する。
【００２０】
この設備１０１や系統線１０２の間隔の拡張を行う場合、先ず図６に示すように縦方向の拡張を行う。縦方向に拡張して操作領域２００を表示したのが画面３０１である。次に、図７に示すように、画面４００を、記号４の設備１０１を中心としてその周辺を横方向に拡張する（なお、図７では、説明上縦方向は拡張前の状態としている）。横方向に拡張されたのが画面４０１であり、設備名称「４」の設備選択ボタン１０４が操作に適した大きさに表示され、かつ、設備選択ボタン１０４と、記号４の設備１０１上下の系統線１０２とは操作に適した間隔を持って表示されている。
【００２１】
また、図６及び図７に示したような拡張を行う場合、その間隔が拡張される設備１０１や系統線１０２は、設備１０１や系統線１０２の表示状態を保ちながらそれぞれの移動状態が表示される。すなわち、設備１０１や系統線１０２はアニメーション表現で拡張される。
【００２２】
さらに、記号４の設備１０１を中心に拡張した場合、拡張領域以外の設備１０１や系統線１０２の間隔を縮小することで、拡張前の設備１０１と系統線１０２の関係を保持する。例えば、図６の画面３０１において、記号６と記号７の設備１０１の間隔が縮小されているが、拡張前の記号６の設備１０１と記号７の設備１０１との接続関係や、各設備１０１と系統線１０２との関係は保たれている。即ち、系統図１００における情報量が拡張前と拡張後で変化しないよう画面の変形が行われる。
【００２３】
なお、上記の説明では、系統線１０２の間隔の変形を縦方向→横方向の順序で行ったが、これとは逆に、横方向→縦方向の順序で拡張を行ってもよい。又は、縦と横同時の変形、縦だけの変形、横だけの変形でもよい。
【００２４】
以上説明したように、実施の形態２の操作インタフェース装置によれば、操作ボタンを表示する場合、系統図を変形し、操作ボタンの大きさを操作に適した大きさにすると共に、操作ボタンと周辺の要素または系統線との間隔を操作に適した間隔にする系統図変形部を備えたので、操作しやすいボタンサイズや表記を含む使い易い表示を行うことができる。
【００２５】
また、実施の形態２の操作インタフェース装置によれば、表示の変形は選択された要素を中心として行うようにしたので、操作性の向上を図ることができる。
【００２６】
また、実施の形態２の操作インタフェース装置によれば、表示の変形は、縦方向または横方向のいずれか一方の方向の変形を最初に行い、次に他方の方向の変形を行うか、または、縦と横同時か、縦だけか、横だけかの変形を行うようにしたので、変形状態を容易に確認することができる。
【００２７】
また、実施の形態２の操作インタフェース装置によれば、複数の要素の間隔または複数の系統線の間隔を変形する場合、変形する要素または系統線の表示状態を保持しながら要素または系統線を移動させるようにしたので、系統図の一部が隠れたりせず、元の状態を保ったまま変形させることができる。
【００２８】
また、実施の形態２の操作インタフェース装置によれば、拡張領域以外の要素の間隔及び系統線の間隔のうち少なくとも一方を縮小し、拡張前の要素と系統線の情報を保持した状態で変形するようにしたので、オペレータが注目すべき部分を見やすくでき、かつ、変形部分以外の情報が抜け落ちてしまうといったことがない。
【００２９】
実施の形態３．
図８は、実施の形態３の操作インタフェース装置を示す構成図である。
図示の操作インタフェース装置は、操作検知部１、操作領域生成部２、系統図変形部３、制御知識４、操作支援部５を備えている。制御知識４は、操作対象を操作する順番を記憶した情報であり、図示省略した記憶部に格納されている。この制御知識４には、複数の設備１０１のうち、一連で操作しなければならない場合の設備１０１の組み合わせとその操作順に関する情報や、設備１０１毎の操作すべき状態の情報といった知識が登録されている。操作支援部５は、この制御知識４に基づいて、操作の順番に対応した操作ボタンの表示を行う処理部である。他の構成は図５に示した実施の形態２と同様であるため、ここでの説明は省略する。
【００３０】
次に、実施の形態３の操作インタフェース装置の動作について説明する。
図９は、実施の形態３の操作インタフェース装置の動作を示すフローチャートである。
先ず、電力系統図が表示された状態で（ステップＳＴ１）、操作検知部１によりいずれかの設備１０１に対する操作検知（選択）が行われる（ステップＳＴ２）。ステップＳＴ２において、いずれかの設備１０１に対する操作が検知された場合、操作領域生成部２及び系統図変形部３によって、系統線１０２や設備１０１の記号の間隔が変形し（ステップＳＴ３）、操作領域２００が表示される（ステップＳＴ４）。また、操作領域２００には設備選択ボタン１０４が表示される（ステップＳＴ５）。以上の動作は、実施の形態１、２で説明した通りである。
【００３１】
但し、制御知識４において、複数の設備１０１で一連で行う操作の情報が登録されている場合、操作支援部５は、ステップＳＴ４において、これら設備１０１を一つの操作領域２００内に含まれるよう表示し、また、ステップＳＴ５における表示は、その中で最初に操作が行われる設備選択ボタン１０４を表示する。図１０は、この状態を示すもので、一連の操作を行う３つの設備１０１ａ〜１０１ｃが操作領域２００に含まれるよう表示されている。なお、設備１０１ａ〜１０１ｃの操作順は、設備１０１ａ→設備１０１ｂ→設備１０１ｃの順番でその操作が行われるものとする。
【００３２】
また、図９のステップＳＴ２において、操作検知部１により検知（選択）された設備１０１が、最初に操作が行われるべき設備１０１ａ以外の設備（設備１０１ｂまたは設備１０１ｃ）であった場合であっても、制御知識４に登録された情報を元に、設備１０１ａの設備選択ボタン１０４を表示する。
【００３３】
図９に戻り、最初の設備選択ボタン１０４が押下された場合（ステップＳＴ６）、操作支援部５は制御知識４に基づいて次に操作すべき状態として「入」又は「切」ボタンを表示する（ステップＳＴ７）。図１１はこの状態を示すもので、１つ目の操作５００と２つ目の操作５０１とを示している。１つ目の操作５００において、記号４の設備１０１の操作前の状態は接続状態であるため、次の操作として「切」ボタンが表示されている。ステップＳＴ９において「切」ボタンが押下されると、操作支援部５は次に操作すべきボタンとして「実行」ボタンを表示する（ステップＳＴ１０）。即ち、操作支援部５は、制御知識４に基づいて、正しい順序で押下すべきボタンを活性化（操作できる状態に）し、操作をアシストする。また、操作すべきボタン上にカーソル１０３を表示する。ステップＳＴ１２において、「実行」ボタンが押下されると、一連で操作すべき設備がある場合はステップＳＴ５からの処理を繰り返す。
【００３４】
図１１では、２つ目の設備の操作５０１として、次の操作対象である記号３のボタンが活性化して表示されている。なお、操作が終了した記号４の設備１０１は、切断状態を示す表示となっている。ステップＳＴ１２において、このような一連で操作すべき設備がある場合で全ての設備への操作が終了した場合、または、一連で操作すべき設備がない場合は、操作が終了した状態の電力系統図を表示する（ステップＳＴ１３）。
【００３５】
なお、ステップＳＴ８及びステップＳＴ１１における操作対象設備名称等の表示については、次の実施の形態４で説明する。また、ステップＳＴ６、ＳＴ９、ＳＴ１２において、該当するボタンの押下が行われない場合（入力がないまま所定時間が経過した場合）や「キャンセル」ボタンが押下された場合は、ステップＳＴ２の操作検知に戻る。
【００３６】
なお、一連で操作すべき複数の設備がある場合、複数の設備を選択した後に全ての設備に対する操作を指定するようにしてもよく、これを図１２のフローチャートに沿って説明する。
図１２において、ステップＳＴ１〜ステップＳＴ４までの動作は、図９の場合と同様である。図１２のフローチャートでは、一連で操作すべき設備が３つの場合を示しており、先ず、第１の設備選択ボタン１０４を表示し（ステップＳＴ１４）、この第１の設備選択ボタン１０４が押下された場合は（ステップＳＴ１５）、第２の設備選択ボタン１０４を表示する（ステップＳＴ１６）。同様に、第２の設備選択ボタン１０４が押下された場合は（ステップＳＴ１７）、第３の設備選択ボタン１０４を表示し（ステップＳＴ１８）、この第３の設備選択ボタン１０４が押下された（ステップＳＴ１９）後、「入」又は「切」ボタンを表示する（ステップＳＴ２０）。その後は、ステップＳＴ２２において「入」又は「切」ボタンが押下された場合は、「実行」ボタンを表示し（ステップＳＴ２３）、ステップＳＴ２５において「実行」ボタンが押下された場合は、電力系統図を表示する（ステップＳＴ２６）。なお、ステップＳＴ２１、ＳＴ２４については、図９のステップＳＴ８、ＳＴ１１と同様に実施の形態４で説明する。
【００３７】
以上説明したように、実施の形態３の操作インタフェース装置によれば、特定の要素に関する操作の順番または複数の要素間における一連の操作の順番を記憶した情報である制御知識を用い、操作の順番に対応した操作ボタンを活性化させる操作支援部を備えたので、オペレータは正しい順序や正しい状態を常に記憶しておく必要がなく、操作性の向上を図ることができる。また、従来では誤った操作を行った場合に最初からやり直す必要があったが、実施の形態３では、操作すべきボタンのみ操作可能状態になるため、誤った操作を未然に防ぐことができ、従来のようなやり直しを行う必要がない。
【００３８】
また、実施の形態３の操作インタフェース装置によれば、操作支援部は、選択された要素が制御知識に記憶された一連の操作を行う複数の要素の中に含まれていた場合、一連の操作を行う複数の要素を操作領域中に表示させるようにしたので、一連の操作内容が容易に確認でき、操作性の向上を図ることができる。
【００３９】
実施の形態４．
図１３は、実施の形態４の操作インタフェース装置を示す構成図である。
図示の操作インタフェース装置は、操作検知部１、操作領域生成部２、系統図変形部３、制御知識４、操作支援部５、操作履歴６、操作履歴提示部７を備えている。操作履歴６は、直前までに行った操作の履歴を示す情報であり、図示省略した記憶部に格納されている。操作履歴提示部７は、操作履歴６に基づいて、操作ボタン上の領域または操作ボタンの近傍に、操作ボタンがどの設備（要素）に対する操作であるかを示す情報や操作履歴の情報を表示させる処理部である。
【００４０】
次に、実施の形態４の操作インタフェース装置の動作について説明する。ここでは、実施の形態３における図９と図１２のフローチャートを用いて説明する。図９のステップＳＴ７において「切」ボタンを表示した場合、操作履歴提示部７は操作履歴６に基づいて、操作対象設備名称を表示する（ステップＳＴ８）。図１４は、操作対象設備名称の表示を示す説明図である。操作領域２００ａに示すように、記号４の設備１０１が押下された場合、「切」ボタンの上部に「４の操作」と表示される（領域１０５参照）。即ち、操作履歴６には記号４の設備１０１が押下されたことが操作履歴として登録されており、この情報に基づいて「４の操作」が表示される。図１４は、一連の操作におけるそれぞれの設備１０１が押下される度に「入」又は「切」ボタンが表示される例を示しており、操作領域２００ｂ，２００ｃに示すように、それぞれの操作対象設備名称が、領域１０５内の「切」ボタンの上部に表示される。即ち、操作すべきボタンの近くに「何の操作」であるかを示す情報が表示される。なお、操作対象設備名称を操作ボタン上に表示するようにしてもよい。
【００４１】
また、図１５は、操作ボタン上にそれまでの操作履歴を表示する例である。図１５は「切」ボタンの押下後の操作領域２００ｄの状態であり、「実行」ボタン１０６上に「４→切」といった直前までの操作履歴が表示されている。これは、図９のフローチャートにおいて、ステップＳＴ１１の処理に対応するものである。
【００４２】
また、図１２のフローチャートに示した表示方法の場合、ステップＳＴ２１において、操作履歴提示部７は操作履歴６に基づいて「切」ボタンの上部に「４・３・５」の操作対象設備名称を表示する。また、ステップＳＴ２４において、「実行」ボタン１０６上に、「４・３・５→切」を表示する。なお、この場合も操作履歴を操作ボタン上に表示するのではなく、操作ボタン近傍に表示するようにしてもよい。
【００４３】
さらに、操作履歴情報の他に、操作に関連する参照情報を操作ボタン上の領域または操作ボタンの近傍に表示するようにしてもよい。
【００４４】
以上説明したように、実施の形態４の操作インタフェース装置によれば、操作履歴を記憶した情報である操作履歴情報を用い、操作ボタン上の領域または操作ボタンの近傍に、操作ボタンがどの要素に対する操作であるかを示す情報を表示させる操作履歴提示部を備えたので、何の操作であるかが一目で確認でき、操作性の向上を図ることができる。
【００４５】
また、実施の形態４の操作インタフェース装置によれば、操作履歴を記憶した情報である操作履歴情報を用い、操作ボタン上の領域または操作ボタンの近傍に、操作履歴の情報を表示させる操作履歴提示部を備えたので、常に前操作の内容を確認しながら次の操作を行うことができるため、操作間違いを未然に防ぎ、ヒューマンエラーの抑制を図ることができる。
【００４６】
なお、上記各実施の形態では、操作インタフェース装置が対象とする系統図１００として電力系統図の場合を説明したが、これに限定されるものではなく、操作対象となる要素が系統線で接続され、かつ、それぞれの要素が系統線を介して特定の関係を有することを示す系統図であれば同様に適用可能である。例えば、図１６はこのような適用例としてビル空調制御系統図を示しており、操作対象となる要素としての複数の空調機７００が、系統線としての既設配管７０１と既設配線７０２とを介して室外ユニット７０３に接続されている状態が示されている。このような系統図に対しても、例えば、各空調機７００のオン／オフ制御や温度設定といった操作に適用が可能である。また、これ以外にも、例えば、ビルの配電状態を監視制御する系統図や高速道路の広域監視制御を行うための系統図、鉄道路線の監視制御のための系統図、オフィスのＬＡＮ設備を示す系統図といった各種の系統図に対して適用が可能である。
【００４７】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４８】
１  操作検知部、２  操作領域生成部、３  系統図変形部、４  制御知識、５  操作支援部、６  操作履歴、７  操作履歴提示部、１００  系統図、１０１，１０１ａ，１０１ｂ，１０１ｃ  設備、１０２  系統線、１０３  カーソル、１０４  設備選択ボタン、１０５  領域、１０６  実行ボタン、２００，２００ａ，２００ｂ，２００ｃ，２００ｄ  操作領域。
【図１】
0005868243.tif 000002
【図２】
0005868243.tif 000003
【図３】
0005868243.tif 000004
【図４】
0005868243.tif 000005
【図５】
0005868243.tif 000006
【図６】
0005868243.tif 000007
【図７】
0005868243.tif 000008
【図８】
0005868243.tif 000009
【図９】
0005868243.tif 000010
【図１０】
0005868243.tif 000011
【図１１】
0005868243.tif 000012
【図１２】
0005868243.tif 000013
【図１３】
0005868243.tif 000014
【図１４】
0005868243.tif 000015
【図１５】
0005868243.tif 000016
【図１６】
0005868243.tif 000017